(57)【要約】【課題】釣糸１８に装着するのに、釣糸が巻きつけられ結びつけられる必要はなく、釣糸の結び目２０が露出することのない釣針１を提供する【解決手段】釣針１のジク９に、釣糸を通すトンネル状の孔１１が形成される。この孔は、ジクの上端部と周囲部とに、両端１３，１５が開口する。この孔の内部で、上端部の開口に近い縮径した部分１７と、前記周囲部の開口に近い拡径した部分１９と、を有する。縮径した部分は釣糸の結び目２０を通さない寸法を有し、拡径した部分は釣糸の結び目２０を通す寸法を有する。【選択図】図1
2009201393.tif 000002
【特許請求の範囲】
【請求項１】
釣針のジクの上端部と周囲部とに両端が開口し釣糸を通すトンネル状の孔と、この孔の内部で、前記上端部の開口に近い縮径した部分と、前記周囲部の開口に近い拡径した部分と、を有し、前記縮径した部分は、釣糸の結び目または釣糸に設けた留め金具を通さない寸法を有し、前記拡径した部分は、釣糸の結び目または釣糸に設けた留め金具を通す寸法を有することを特徴とする釣針。
【請求項２】
前記釣針は、２本針で、前記ジクの部分を共通にし、フック部が２つに分岐した形状を有し、前記孔の周囲部の開口は、前記分岐した部分の下面に形成されることを特徴とする請求項１に記載の釣針。  
【発明の詳細な説明】
【技術分野】
【０００１】
この発明は、釣糸に釣針を装着するための構造に関する。
【背景技術】
【０００２】
一般的に、釣糸に釣針を装着するには、釣糸を釣針に結びつける。釣針は、一般に全体が略Ｊ字状をしており、先端の針先から下方へ向かい、大きく湾曲してフック部を形成し、次に上方へ向かってジクと呼ばれる直線部を形成し、このジクの上端はチモトと呼ばれ釣糸が巻きつけられ結びつけられ、その直上には耳などと呼ばれる小さな屈曲部が設けられ、結ばれた釣糸の抜けが図られる。
【０００３】
このように釣糸を巻きつけて結ぶ作業は面倒であるため、下記の特許文献１に示すような釣針が提案されている。すなわち、釣針のジクと呼ばれる直線部に沿って、釣糸を通すトンネル状の孔を形成し、釣糸の端部の結び目を、この孔の下端の開口に当接させる。この当接によって、釣糸から釣針は外れることはなく、装着できる。
【特許文献１】特開平10-201397
【発明の開示】
【発明が解決しようとする課題】
【０００４】
しかしながら、特許文献１によれば、装着するのに釣糸が巻きつけられ結びつけられる必要はないものの、トンネル状の孔の下端に、釣糸の結び目が露出する。この露出は、好もしくなく、大抵の場合には、釣針を仕込んだ餌の外に露出することになるので、魚に警戒され易く、釣果はよくない。
【０００５】
この発明は、以上の問題点を解決するために、装着するのに釣糸が巻きつけられ結びつけられる必要はなく、釣糸の結び目が露出することのない釣針を提供することを目的とする。
【課題を解決するための手段】
【０００６】
以上の課題を解決するために、第一発明は、釣針のジクの上端部と周囲部とに両端が開口し釣糸を通すトンネル状の孔と、この孔の内部で、前記上端部の開口に近い縮径した部分と、前記周囲部の開口に近い拡径した部分と、を有し、前記縮径した部分は釣糸の結び目を通さない寸法を有し、前記拡径した部分は釣糸の結び目を通す寸法を有することを特徴とする釣針である。
【０００７】
第二発明は、さらに、前記釣針は、２本針で、前記ジクの部分を共通にし、フック部が２つに分岐した形状を有し、前記孔の周囲部の開口は、前記分岐した部分の下面に形成されることを特徴とする釣針である。
【発明の効果】
【０００８】
第一、又は第二発明によれば、トンネル状の孔へ周囲部の開口から通された釣糸の結び目、または通された釣糸に設けた留め金具は、トンネル状の孔の内部で、拡径した部分から縮径した部分への段差部に当接され、よって、孔の内部に隠される。よって、装着するのに釣糸が巻きつけられ結びつけられる必要がないのみならず、釣糸の結び目、または留め金具が露出することもない。
【０００９】
第二発明によれば、さらに、トンネル状の孔は真っ直ぐに形成され易く、孔に釣糸を通す作業が容易である。  
【発明を実施するための最良の形態】
【００１０】
この発明の第一実施形態にかかる釣針を、図１に示す。
この釣針１は、一般的な全体が略Ｊ字状をしており、先端の針先３にはカエシ５を有する。針先３から下方へ向かい、大きく湾曲してフック部７を形成し、次に上方へ向かってジク９と呼ばれる直線部を形成する。
【００１１】
このジク９の上端には、短いＬ字状でトンネル状の孔１１が形成される。すなわち、この孔１１の一方の端１３は、ジク９の上端部に開口する。他方の端１５は、周囲部のうち、針先３とは反対側の部分、つまり背部に開口する。
【００１２】
このトンネル状の孔１１の内部で、ジク９の上端部の開口に近い部分は、縮径した部分１７となっている。周囲部の背部の開口に近い部分は、拡径した部分１９となっている。両部分の間には、段差２１が形成される。そして、縮径した部分１７は釣糸１８の結び目２０を通さない寸法を有し、拡径した部分１９は釣糸の結び目を通す寸法を有する。
【００１３】
［手順］
釣糸１８に釣針１を装着する手順は、次のようになる。
釣糸１８が、釣針１を装着する部分だけに用いられるハリスの場合には、ハリスの一端に結び目２０を作る。そして、ハリスの他端を、トンネル状の孔１１に対し、ジク９の周囲部の背部の開口から挿入し、反対側のジク９の上端部の開口から引っ張り出す。結び目２０は、トンネル状の孔１１の内部で、拡径した部分１９から縮径した部分１７への段差部２１に当接され、釣糸（ハリス）１８から釣針１が外れることはなく、よって、装着ができる。ハリスの他端は、道糸などに、サルカンなどの金具を介して連結される。
【００１４】
釣糸１８が、ハリス等ではなく道糸等の完成した仕掛けの下端の場合には、その釣糸の下端を、トンネル状の孔１１に対し、ジク９の上端部の開口から挿入し、反対側のジク９の周囲部の背部の開口からから引っ張り出す。引っ張り出した釣糸の下端に結び目２０を作る。そして、釣糸１８を釣針１に対して引っ張れば、この結び目は、トンネル状の孔１１の内部で、拡径した部分１９から縮径した部分１７への段差部２１に当接され、釣糸（ハリス）１８から釣針１が外れることはなく、よって、装着ができる。
【００１５】
「実施形態の効果」
この実施形態によれば、トンネル状の孔１１へ周囲部の開口から通された釣糸の結び目２０は、トンネル状の孔１１の内部で、拡径した部分１９から縮径した部分１７への段差部２１に当接され、よって、孔１１の内部に隠される。よって、装着するのに釣糸１８が巻きつけられ結びつけられる必要がないのみならず、釣糸１８の結び目２０が露出することもない。
【００１６】
「他の実施形態」
以上の実施形態では、釣針１は、一般的な全体が略Ｊ字状をしたものであったが、他の実施形態では、第二実施形態のように２本針のＷ字状のものであっても良い。さらに、立体的な３本針のイカリ状でも、４本針の十字状であっても、もちろんそれ以上の本数の針を有するものであってもかまわない。
すなわち、例えば２本針のＷ字状のものでは、図２に示すように、釣針１は、２本針で、ジク９の部分を共通にし、フック部７が２つに分岐した形状を有する。トンネル状の孔１１の一方の開口（１３）は、ジク９の上端部に形成される。他方の開口（１５）は、ジク９の周囲部のうち、フック部７が分岐した部分の下面に形成される。
この第二実施形態によれば、さらに、トンネル状の孔１１は真っ直ぐに形成され易く、孔１１に釣糸１８を通す作業が容易である。
また、以上の実施形態では、ハリスの一端に結び目２０を作るものであったが、他の実施形態では、ハリスの一端に留め金具を取り付けて、結び目の代わりにすることも可能である。  
【図面の簡単な説明】
【００１７】
【図１】この発明の第一実施形態を示す釣針で、（Ａ）は釣針の全体図、（Ｂ）は（Ａ）のＢ部拡大断面図、（Ｃ）は（Ｂ）のＣ方向から見た図である。
【図２】この発明の第二実施形態を示す釣針で、（Ａ）は釣針の全体図、（Ｂ）は（Ａ）のＢ部拡大断面図である。
【符号の説明】
【００１８】
１…釣針、３…針先、５…カエシ、７…フック部、９…ジク、１１…孔、１３…一方の端、１５…他方の端、１７…縮径した部分、１９…拡径した部分、２１…段差。
【図１】
2009201393.tif 000003
【図２】
2009201393.tif 000004